(57)【特許請求の範囲】
【請求項１】
複数の鍵の押鍵状態に基づいて楽音信号を生成し、当該生成された楽音信号に基づいて楽音を発生させる電子鍵盤楽器であって、
響板と、
加振部を有し、前記楽音信号に基づき、前記加振部を介して前記響板を振動させることにより、楽音を発生させる加振器と、
この加振器を、前記加振部を前記響板に押圧した状態で支持する加振器支持手段と、
を備え、
前記加振器支持手段は、
前記響板から間隔を隔てて設けられ、前記加振器を支持する不動の支持部材と、
この支持部材と前記加振器の間に設けられ、前記響板への当該加振器の押圧度合を調整する押圧度合調整機構と、を有し、
前記押圧度合調整機構は、
一端部が前記加振器に連結されるとともに、他端部が前記支持部材に形成された孔を貫通するボルトと、
このボルトの前記支持部材の両側に螺合し、当該支持部材に対して締め付けられることにより、前記ボルトを前記支持部材に対してロックする２つのロックナットと、
を有していることを特徴とする電子鍵盤楽器。
【請求項２】
前記加振器は、前記支持部材側の面に設けられた凹部を有し、
前記ボルトの前記一端部が、前記凹部に当該ボルトの軸方向に移動自在に挿入されており、
前記押圧度合調整機構は、前記ボルトの前記加振器と当該加振器側の前記ロックナットとの間に螺合し、当該加振器を前記響板に押圧するための押圧用ナットを、さらに有していることを特徴とする請求項１に記載の電子鍵盤楽器。
【発明の詳細な説明】
【技術分野】
【０００１】
本発明は、響板を振動させることによって楽音を発生させる電子鍵盤楽器に関する。
【背景技術】
【０００２】
従来、この種の電子鍵盤楽器として、例えば特許文献１に開示されたものが知られている。この電子鍵盤楽器は、グランド型の電子ピアノであり、アコースティックのグランドピアノと同様の響板を備えている。この響板は、厚さが均一の木製板から成り、グランドピアノと同じ平面形状を有し、水平に設けられている。また、この響板の上面には、響板を振動させるための加振器が取り付けられている。
【０００３】
演奏の際に鍵が押鍵されると、押鍵状態に基づく楽音信号が生成され、加振器に出力される。それにより、加振器が響板を振動させることによって、楽音が発生する。このように、この電子鍵盤楽器では、アコースティックピアノと同様、響板を振動させることによって楽音を発生させるので、一般的な電子鍵盤楽器のスピーカから放音される楽音に比べて、アコースティックピアノに近似した広がりのある楽音が得られる。
【０００４】
上述したように、この電子鍵盤楽器では、加振器が響板に直接、取り付けられているため、加振器の重さ（自重）が響板に常時、作用する。そのため、響板の振動が阻害され、不足がちになることによって、良質の楽音および所望の音量を発生させることができない。
【０００５】
本発明は、以上のような課題を解決するためになされたものであり、響板を十分に振動させることができ、それにより、アコースティックピアノに近似した良質の楽音および所望の音量を得ることができる電子鍵盤楽器を提供することを目的とする。
【０００６】
【特許文献１】特開２００７−４７２７３号公報
【発明の開示】
【課題を解決するための手段】
【０００７】
上記の目的を達成するために、請求項１に係る発明は、複数の鍵の押鍵状態に基づいて楽音信号を生成し、生成された楽音信号に基づいて楽音を発生させる電子鍵盤楽器であって、響板と、加振部を有し、楽音信号に基づき、加振部を介して響板を振動させることにより、楽音を発生させる加振器と、この加振器を、加振部を響板に押圧した状態で支持する加振器支持手段と、を備え、加振器支持手段は、響板から間隔を隔てて設けられ、加振器を支持する不動の支持部材と、この支持部材と加振器の間に設けられ、響板への加振器の押圧度合を調整する押圧度合調整機構と、を有し、押圧度合調整機構は、一端部が加振器に連結されるとともに、他端部が支持部材に形成された孔を貫通するボルトと、このボルトの支持部材の両側に螺合し、支持部材に対して締め付けられることにより、ボルトを支持部材に対してロックする２つのロックナットと、を有していることを特徴とする。
【０００８】
この構成によれば、複数の鍵の押鍵状態に基づいて生成された楽音信号に基づき、加振器の加振部を介して響板を振動させることにより、楽音が発生する。この加振器は、加振器支持手段によって支持されているので、加振器が響板に支持された従来と異なり、加振器の重さは、響板には作用せず、響板の振動を阻害することはない。また、加振器の加振部が響板に押圧されているので、加振器の振動を加振部から響板に十分に伝達することができる。以上により、響板を十分に振動させることができ、それにより、アコースティックピアノに近似した広がりや深みのある良質の楽音および所望の音量を得ることができる。
【００１０】
また、上記の構成によれば、支持部材と加振器の間に設けられた押圧度合調整機構により、響板への加振器の押圧度合を調整することができる。響板への加振器の押圧度合が低すぎると、加振器の振動が響板に十分に伝わらず、そのため、響板を十分に振動させることができない。逆に、押圧度合が高すぎると、加振器が十分に振動できず、やはり、響板を十分に振動させることができない。これに対し、本発明では、押圧度合調整機構により、響板への加振器の押圧度合を適切に調整でき、したがって、響板の十分な振動を確保することができる。
【００１２】
さらに、上記の構成によれば、ボルトの一端部が加振器に連結されるとともに、その他端部が支持部材の孔に貫通しているので、ボルトをその軸方向に適宜、移動させることにより、響板への加振器の押圧度合を調整することができる。また、ボルトの支持部材の両側に、２つのロックナットが螺合しており、これらのロックナットを支持部材に対して締め付けることにより、ボルトが支持部材にロックされる。したがって、加振器の所望の押圧度合が得られる位置において、ボルトをロックすることにより、その押圧度合を保持した状態で、加振器を支持することができる。また、ボルトおよび２つのロックナットという比較的単純な構成によって、押圧度合調整機構を容易に実現することができる。
【００１３】
請求項２に係る発明は、請求項１に記載の電子鍵盤楽器において、加振器は、支持部材側の面に設けられた凹部を有し、ボルトの一端部が、凹部にボルトの軸方向に移動自在に挿入されており、押圧度合調整機構は、ボルトの加振器と加振器側のロックナットとの間に螺合し、加振器を響板に押圧するための押圧用ナットを、さらに有していることを特徴とする。
【００１４】
この構成によれば、ボルトの一端部が、加振器の支持部材側の凹部に、ボルトの軸方向に移動自在に挿入されている。また、ボルトには、加振器と加振器側のロックナットとの間に、加振器を響板に押圧するための押圧用ナットが螺合している。したがって、押圧用ナットを所定方向に回し、響板側に移動させることにより、響板への加振器の押圧度合を容易に高めることができる。一方、押圧用ナットを上記と逆方向に回し、響板から離れる方向に移動させることにより、押圧度合を容易に低くすることができる。以上のように、押圧用ナットを回すことによっても、押圧度合を調整でき、特にその微調整を容易に行うことができる。
【発明を実施するための最良の形態】
【００１５】
以下、本発明の好ましい実施形態を、図面を参照しながら説明する。図１および図２は、本発明を適用したアップライト型の電子ピアノを示している。この電子ピアノ１（電子鍵盤楽器）は、ピアノ本体２と、ピアノ本体２を支持するスタンドユニット３などで構成されている。ピアノ本体２およびスタンドユニット３の左右の側面には、両者を覆うように、縦長の親板４、４がそれぞれ取り付けられている。
【００１６】
ピアノ本体２の外装は、左右の腕木５、５と、腕木５、５の下端部間および上端部間にそれぞれ延びる水平な棚板６および天板７と、腕木５、５の後端部間を覆う背板８などで構成されている。ピアノ本体２には、鍵盤装置９、操作パネル１０、中高音用スピーカ１１および高音用スピーカ１２などが設けられている。
【００１７】
鍵盤装置９は、棚板６上に左右方向に並設された多数の鍵１３から成る鍵盤１４と、鍵１３ごとに設けられ、押鍵された鍵１３に連動して回動するハンマー（図示せず）と、鍵１３ごとに設けられ、その押鍵情報を検出する鍵センサ（図示せず）を備えている。鍵１３は、主に木質材から成り、アコースティックなアップライトピアノの鍵とほぼ同様に構成されていて、その中央において回動自在に支持されている。鍵センサは、ゴムスイッチなどで構成され、対応する鍵１３の押鍵の有無（オン／オフ）および押鍵速度（ベロシティ）を、押鍵に伴って回動するハンマーを介して検出する。
【００１８】
操作パネル１０は、鍵盤１４の上方に配置されており、電子ピアノ１の音色、音量や音響効果などを設定するための操作ボタンおよび操作レバーや、それらの設定状態を表示するための表示器などが設けられている。
【００１９】
中高音用スピーカ１１は、４つのミッドレンジスピーカで構成され、主として楽音の中高音成分を再生するものであり、ピアノ本体２内の上側の左右の後端部に、放音面が上方に向いた状態で、２つずつ配置されている。高音用スピーカ１２は、２つのドームツイータで構成され、主として楽音の高音成分を再生するものであり、ピアノ本体２内の上部の左右の端部に、鍵盤蓋１６の上方の横長開口１７に臨み、放音面が前方に向いた状態で配置されている。なお、横長開口１７の前面には、メッシュカバー１７ａが設けられており、高音用スピーカ１２で再生された楽音が、メッシュカバー１７ａを介して、良好に放音される。
【００２０】
スタンドユニット３は、左右の妻土台１８、１８、左右の側板１９、１９、ペダル土台２１、下前板２２、響板２３およびスタンド天板２４などにより、ボックス状に組み立てられている。ペダル土台２１は、妻土台１８、１８の後部間に連結され、左右方向に延びており、その中央には、３つのペダル２５が回動自在に設けられている。各妻土台１８の上面前端部には、棚板６の前端部を下方から支持する棚受柱２０が立設されている。なお、各棚受柱２０は、その上面において、前後方向に延びる板金（図示せず）によって、対応する後方の側板１９の上面に連結されている。下前板２２は、左右の側板１９、１９、ペダル土台２１およびスタンド天板２４で取り囲まれた空間の前端を覆うように設けられている。また、響板２３は、上記の空間の後端部の外周に沿って取り付けられた打廻し２６の前面に固定され、スタンドユニット３の背面を覆うように設けられている。なお、下前板２２の上部には、正面形状が横長矩形状のメッシュカバー２２ａが設けられている。
【００２１】
図２に示すように、響板２３の前面には、後述する加振器支持機構３０によって響板２３に押圧した状態で支持された加振器２７が配置されており、響板２３および加振器２７によって、響板スピーカ２８が構成されている。響板２３は、アコースティックなアップライトピアノの響板と同様、例えばスプルスなどから成る複数のむくの板材を継ぎ合わせることによって、正面形状が横長矩形状に形成されている。また、響板２３の背面には、複数の響棒２９が貼り付けられている。これらの響棒２９は、響板２３における振動の伝達速度を高めるためのものであり、響板２３の各板材の継ぎ合わせ方向と直交するとともに、互いに平行に斜めに延びている。
【００２２】
加振器２７は、所定の周波数帯域（例えば３０Ｈｚ〜２ｋＨｚ）で振動する振動特性を有する電磁式のものであり、外部に臨むとともに、響板２３に当接した状態でこれに振動を付与する加振部２７ａ（図３参照）を備えている。また、加振器２７の外周面には、外方に突出するフランジ部２７ｂが設けられており、このフランジ部２７ｂの所定位置に形成された複数（例えば４つ、図３（ｂ）では２つのみ図示）のねじ孔２７ｃを介して、加振器２７が加振器支持機構３０（加振器支持手段）に支持されている。
【００２３】
加振器支持機構３０は、響板２３の前方に間隔を隔てて配置された支持プレート３１（支持部材）と、この支持プレート３１と加振器２７を連結するとともに、響板２３への加振器２７の押圧度合を調整する押圧度合調整機構３２を備えている。支持プレート３１は、上下方向に延びる金属板などから成り、上端部および下端部においてそれぞれ、スタンド天板２４およびペダル土台２１に固定されている。また、支持プレート３１の複数の所定位置には、押圧度合調整機構３２の後述するボルト３３を固定するための孔３１ａが形成されている。
【００２４】
図３に示すように、押圧度合調整機構３２は、１つのボルト３３および２つのロックナット３４、３４を一組とする複数組（例えば四組）で構成されている。各組のボルト３３は、加振器２７のフランジ部２７ｂのねじ孔２７ｃにねじ込まれることによって、加振器２７に連結されるとともに、ボルト３３の軸部３３ａが支持プレート３１の孔３１ａに貫通するように配置されている。また、各ボルト３３の軸部３３ａには、支持プレート３１の両側にロックナット３４、３４がそれぞれ螺合し、支持プレート３１に対して締め付けられている。これにより、各ボルト３３が、支持プレート３１にロックされている。
【００２５】
このように構成された押圧度合調整機構３２により、響板２３への加振器２７の押圧度合の調整は、例えば次のように行われる。押圧度合を高める場合には、各組のロックナット３４、３４のうち、加振器２７から遠いロックナット３４（以下「前側ナット３４Ａ」という）を緩め、支持プレート３１から離した後、加振器２７に近いロックナット３４（以下「後側ナット３４Ｂ」という）を、支持プレート３１に対して締め付ける方向に回すことによって、ボルト３３を響板２３側（図３の左側）に移動させる。これに伴い、ボルト３３に連結された加振器２７も、響板２３側に移動する。その後、前側ナット３４Ａを締め付け、ボルト３３を支持プレート３１にロックする。以上により、響板２３への加振器２７の押圧度合が高まり、その状態で、加振器２７が保持される。逆に、押圧度合を低くする場合には、後側ナット３４Ｂを上記と逆方向に回すことによって、ボルト３３を支持プレート３１側（図３の右側）に移動させる。これに伴い、加振器２７も、支持プレート３１側に移動する。その後、ボルト３３とともに移動した前側ナット３４Ａを締め付け、ボルト３３を支持プレート３１にロックする。以上により、響板２３への加振器２７の押圧度合が低くなり、その状態で、加振器２７が保持される。
【００２６】
以上のようにして、響板２３への加振器２７の押圧度合を、適度に調整することにより、加振器２７の加振部２７ａを介して、響板２３を十分に振動させることができる状態で、加振器２３が支持される。そして、この加振器２３は、鍵１３が押鍵されると、ピアノ本体２に内蔵された楽音発生装置（図示せず）から出力される駆動信号によって駆動され、響板２３を振動させることによって、楽音を発生させ、主として低音域から中音域の楽音を良好に発生させることができる。
【００２７】
図４は、加振器および押圧度合調整機構の変形例を示している。この加振器４０は、前記加振器２７と同様の加振部４０ａを有し、支持プレート３１側の面の中央には、ねじ穴４０ｂ（凹部）が形成されている。また、この加振器４０では、前記加振器２７と異なり、フランジ部が省略されている。なお、加振器４０の上記ねじ穴４０ｂは、加振器４０自体の組立用としてあらかじめ設けられているものである。
【００２８】
一方、押圧度合調整機構４１は、１つのボルト３３、２つのロックナット３４、３４、および１つの押圧用ナット３５で構成されている。ボルト３３は、前記押圧度合調整機構３２のそれと逆向きに配置されている。すなわち、ボルト３３は、支持プレート３１の孔３１ａに貫通するとともに、軸部３３ａが加振器４０のねじ穴４０ｂにねじ込まれている。また、両ロックナット３４、３４は、前記押圧度合調整機構３２と同様に、支持プレート３１の両側において、ボルト３３の軸部３３ａにそれぞれ螺合し、支持プレート３１に対して締め付けられている。さらに、ボルト３３の軸部３３ａには、加振器４０と後側ナット３４Ｂの間に、押圧用ナット３５が螺合し、加振器４０に対して締め付けられている。
【００２９】
このように構成された押圧度合調整機構４１により、響板２３への加振器４０の押圧度合の調整は、例えば次のように行われる。押圧度合を高める場合には、両ロックナット３４、３４を若干緩めた後、ボルト３３を、加振器４０に対して緩めるように、両ロックナット３４、３４とともに所定方向に回す。この場合、ボルト３３は、支持プレート３１に対して不動であるのに対し、加振器４０は、響板２３側に移動する。その後、両ロックナット３４、３４および押圧用ナット３５を締め付ける。以上により、響板２３への加振器４０の押圧度合が高まり、その状態で、加振器４０が保持される。逆に、押圧度合を低くする場合には、押圧用ナット３５を緩め、加振器４０から離すとともに、両ロックナット３４、３４を若干緩めた後、ボルト３３および両ロックナット３４、３４を、上記と逆方向に回す。これにより、ボルト３３がねじ穴４０ｂにねじ込まれ、それに伴い、加振器４０が支持プレート３１側に移動する。その後、両ロックナット３４、３４および押圧用ナット３５を締め付ける。以上により、響板２３への加振器４０の押圧度合が低くなり、その状態で、加振器４０が保持される。
【００３０】
また、加振器４０のねじ穴４０ｂに代えて、ボルト３３の軸部３３ａがその軸方向に移動自在に挿入されるばか穴（凹部）を、加振器４０に形成してもよい。この場合、押圧度合を高めるときには、ボルト３３を両ロックナット３４、３４で支持プレート３１にロックした状態において、押圧用ナット３５を加振器４０に対して締め付ける方向に回す。これにより、押圧用ナット３５で加振器４０を押圧しながら、響板２３側に移動させることによって、押圧度合を容易に高めることができる。逆に、押圧度合を低くするときには、押圧用ナット３５を上記と逆方向に回すことによって、押圧度合を容易に低くすることができる。以上のように、押圧用ナット３５を回すことにより、押圧度合の微調整を容易に行うことができる。
【００３１】
以上のように、本実施形態によれば、加振器２７、４０が、加振器支持機構３０によって支持されているので、従来と異なり、加振器２７、４０の重さが響板２３に作用することがなく、響板２３の振動を阻害することがない。また、加振器２７、４０の加振部２７ａ、４０ａが響板２３に押圧されているので、加振器２７、４０の振動を加振部２７ａ、４０ａから響板２３に十分に伝達することができる。以上により、響板２３を十分に振動させることができ、それにより、アコースティックピアノに近似した広がりや深みのある良質の楽音および所望の音量を得ることができる。
【００３２】
また、押圧度合調整機構３２、４１によって、響板２３への加振器２７、４０の押圧度合を適切に調整できるので、響板２３の十分な振動を確保することができる。また、押圧度合調整機構３２、４１を、ボルト３３およびロックナット３４や押圧用ナット３５という比較的単純な構成によって、容易に実現することができる。
【００３３】
なお、本発明は、説明した上記実施形態に限定されることなく、種々の態様で実施することができる。例えば、実施形態では、加振器２７、４０を１つのみ用いたが、本発明はこれに限定されるものではなく、振動特性が同一または異なる複数の加振器を、響板２３に押圧した状態で、かつ適当なレイアウトで配置してもよい。また、複数の加振器を配置する場合、上述した加振器支持機構３０で加振器２７、４０を支持するのに加えて、支持プレートと加振器の間にばねを介在させ、そのばねの付勢力によって、加振器を響板２３に押圧するようにしてもよい。この場合には、加振器による振動がばねで吸収されることによって、加振器による響板の振動の周波数帯域が、より低い側にシフトするものの、複数の加振器全体として、振動数範囲が広がり、それにより、より広範囲の音域の楽音を得ることができる。
【００３４】
また、実施形態では、加振器支持機構３０の支持プレート３１を、スタンド天板２４およびペダル土台２１に固定したが、両者２４、２１の一方のみに固定することも可能である。また、響板２３が振動する際の微振動が支持プレート３１に伝播するのを防止するために、支持プレート３１と、これを支持するスタンド天板２４やペダル土台２１との間に、ダンパ部材を介在させてもよい。
【００３５】
さらに、スタンド天板２４を省略し、支持プレート３１を棚板６に取り付けてもよい。また、下前板２２を、支持プレートとして利用してもよい。これらの場合には、スタンド天板２４や支持プレート３１を省略でき、その分、部品点数および製造コストを削減することができる。また、実施形態で示した電子ピアノ１の細部の構成などは、あくまで例示であり、本発明の趣旨の範囲内で適宜、変更することができる。
【図面の簡単な説明】
【００３６】
【図１】本発明の一実施形態によるアップライト型の電子ピアノを示す斜視図である。
【図２】図１の電子ピアノを示す図であり、（ａ）背面図、（ｂ）Ａ−Ａ線に沿う断面の内部構造図である。
【図３】加振器の周囲を示す拡大図である。
【図４】加振器および押圧度合調整機構の変形例を示す拡大図である。
【符号の説明】
【００３７】
１    電子ピアノ（電子鍵盤楽器）
１３    鍵
２３    響板
２７    加振器
２７ａ  加振部
２８    響板スピーカ
３０    加振器支持機構（加振器支持手段）
３１    支持プレート（支持部材）
３１ａ  孔
３２    押圧度合調整機構
３３    ボルト
３３ａ  軸部
３４    ロックナット
３５    押圧用ナット
４０    加振器
４０ａ  加振部
４０ｂ  ねじ穴（凹部）
４１    押圧度合調整機構
【図１】
0005486763.tif 000002
【図２】
0005486763.tif 000003
【図３】
0005486763.tif 000004
【図４】
0005486763.tif 000005